(57)【特許請求の範囲】
【請求項１】
窓枠内に建て込まれて開口面外方向に開閉される障子の、戸先框の見込部に受け具が取り付けられ、前記受け具には、前記戸先框の材長方向に延びてその一端が前記障子の閉止側に開口する溝孔が形成される一方、
前記戸先框と重なり合う窓枠の見込部には、前記受け具の溝孔に係脱し得るロックピンと、前記ロックピンを前記窓枠の材長方向に移動させる連動機構と、が組み付けられて、
前記連動機構を動かすための操作部が前記窓枠に設けられ、
前記障子が閉じられた状態で前記ロックピンが前記受け具の溝孔に係合する「ロック位置」へと移動することで前記障子の開閉が規制され、
前記ロックピンが前記受け具の溝孔から抜け出し得る「アンロック位置」へと移動することで前記障子が開閉可能になる窓開閉ロック装置において、
前記ロックピンは前記連動機構に設けられた第一付勢手段を介して「ロック位置」側へ移動する向きに付勢されるとともに、
前記窓枠側には「アンロック位置」にある前記ロックピンに係脱し得るストッパが取り付けられて、
前記障子が開かれた状態では前記ストッパによって前記ロックピンが「アンロック位置」に仮止めされ、
前記障子が閉じられると前記受け具が前記ストッパに当接することで前記仮止め状態が解除され、
前記ストッパから離脱した前記ロックピンが前記第一付勢手段の付勢力によって前記受け具の溝孔内へと誘導される
ことを特徴とする窓開閉ロック装置。
【請求項２】
請求項１に記載された窓開閉ロック装置において、
前記ストッパの先端部に、前記障子の閉止側から前記ロックピンに係脱し得る係止フックが設けられ、
前記ストッパの中間部に、前記係止フックと相対して前記係止フックとの間に前記ロックピンを挟み込むサブフックが設けられ、
前記ストッパの基端部が前記窓枠側に軸着されて、前記障子の開閉方向に揺動し得るように保持され、
前記ストッパ全体が第二付勢手段を介して前記係止フックを前記ロックピンに係止させる向きに付勢されるとともに、
前記サブフックが第三付勢手段を介して前記係止フックとの間隔を狭める向きに付勢されている
ことを特徴とする窓開閉ロック装置。
【請求項３】
請求項２に記載された窓開閉ロック装置において、
前記受け具に形成される溝孔は、前記戸先框の材長方向に延びるロックピン係合溝部と、前記ロックピン係合溝部の一端から曲線状に連続して前記障子の閉止側に開口するロックピン受渡口とを具備し、
前記ロックピン受渡口の開口縁には、前記障子が閉じられたときに前記ストッパのサブフックに当接して前記ストッパを障子の閉止側に傾倒させるトリガーが突設されている
ことを特徴とする窓開閉ロック装置。
【請求項４】
請求項２または３に記載された窓開閉ロック装置において、
前記障子が閉じられて前記ロックピンが前記溝孔の「ロック位置」にある状態から、前記操作部を操作し、前記ロックピンを前記第一付勢手段に抗して「アンロック位置」側へ移動させると、前記ロックピンは、前記第三付勢手段に抗して前記サブフックと前記係止フックとの間隔を押し拡げながら前記溝孔のロックピン受渡口を通過して、前記係止フックと前記サブフックとの間に挟み込まれ、
前記第二付勢手段の付勢力によって前記ストッパの係止フックが前記ロックピンに係止されるとともに、
前記受け具が前記ストッパを介して障子の開放側へと押し出される
ことを特徴とする窓開閉ロック装置。
【発明の詳細な説明】
【技術分野】
【０００１】
本願が開示する発明は、窓枠内に建て込まれた障子が屋内外方向に開閉される形態の窓サッシに適用可能なロック装置に関し、より詳細には、障子を閉じると自動的に施錠される機構を備えた窓開閉ロック装置に関する。
【背景技術】
【０００２】
窓枠内に建て込まれた障子を屋内外方向に開閉する開き窓、すべり出し窓、突き出し窓、ルーバー窓、オーニング窓等の窓サッシにおいて、障子の戸先框に取り付けた障子側係合部材と、戸先側の窓枠材に取り付けた枠側係合部材とを互いに係合させて障子を閉止位置に拘束するロック装置が公知である。例えば、特許文献１、２、３等には、縦すべり出し窓における障子側係合部材として、略Ｊ字形に屈曲した溝孔を有する障子側受け具（係合枠）を戸先框の見込部の複数箇所に取り付ける一方、枠側係合部材として前記障子側受け具に係脱可能な複数箇所のロックピン（係合ピン）と、それらを戸先側の縦枠材に沿って連結する連動板と、を上下動可能に取り付け、障子を閉じた状態で、窓枠の屋内側に設置した操作部のレバー操作によりロックピンを上下動させて障子側受け具に係合させる、という機構を備えた窓開閉ロック装置（施錠装置）が開示されている。
【先行技術文献】
【特許文献】
【０００３】
【特許文献１】特開２００２−１８８３３６号公報
【特許文献２】特開２００６−０２２５１５号公報
【特許文献３】特開２０１８−１０４９４７号公報
【発明の概要】
【発明が解決しようとする課題】
【０００４】
一般的なすべり出し窓やルーバー窓は、オペレータ等の開閉機構を操作して障子を開閉するように構成されている。しかし、前記従来のような窓開閉ロック装置は、障子の開閉機構とは別に設けられているので、窓を施錠する際には、オペレータのハンドル等を操作して障子を閉めた後、窓開閉ロック装置の操作部を操作して施錠する、という二段階の手順が必要になる。かかる構成では、障子を閉めた後で窓開閉ロック装置の操作をし忘れることがあり得るので、防犯面において改善の余地がある。
【０００５】
本願が開示する発明は前述のような事情に鑑みてなされたもので、障子を閉めると自動的に施錠される窓開閉ロック装置を提供することを解決課題とする。
【課題を解決するための手段】
【０００６】
前述の目的を達成するために本願が開示する発明の窓開閉ロック装置は、窓枠内に建て込まれて開口面外方向に開閉される障子の、戸先框の見込部に受け具が取り付けられ、前記受け具には、前記戸先框の材長方向に延びてその一端が前記障子の閉止側に開口する溝孔が形成される一方、前記戸先框と重なり合う窓枠の見込部には、前記受け具の溝孔に係脱し得るロックピンと、前記ロックピンを前記窓枠の材長方向に移動させる連動機構と、が組み付けられて、前記連動機構を動かすための操作部が前記窓枠に設けられ、前記障子が閉じられた状態で前記ロックピンが前記受け具の溝孔に係合する「ロック位置」へと移動することで前記障子の開閉が規制され、前記ロックピンが前記受け具の溝孔から抜け出し得る「アンロック位置」へと移動することで前記障子が開閉可能になる窓開閉ロック装置において、前記ロックピンは前記連動機構に設けられた第一付勢手段を介して「ロック位置」側へ移動する向きに付勢されるとともに、前記窓枠側には「アンロック位置」にある前記ロックピンに係脱し得るストッパが取り付けられて、前記障子が開かれた状態では前記ストッパによって前記ロックピンが「アンロック位置」に仮止めされ、前記障子が閉じられると前記受け具が前記ストッパに当接することで前記仮止め状態が解除され、前記ストッパから離脱した前記ロックピンが前記第一付勢手段の付勢力によって前記受け具の溝孔内へと誘導される、との基本的構成を採用する。
【０００７】
この構成によれば、窓枠側に取り付けられて「アンロック位置」に仮止めされているロックピンが、障子を閉じる動作によって自動的に、障子の戸先框に取り付けられた受け具の溝孔に誘導されて「ロック位置」まで移動することにより、障子が施錠状態に保持される。したがって、障子を閉じた後に施錠をし忘れる、といった事態を防止することができる。
【０００８】
さらに、本願が開示する発明の窓開閉ロック装置は、前述の基本的構成に加えて、前記ストッパの先端部に、前記障子の閉止側から前記ロックピンに係脱し得る係止フックが設けられ、前記ストッパの中間部に、前記係止フックと相対して前記係止フックとの間に前記ロックピンを挟み込むサブフックが設けられ、前記ストッパの基端部が前記窓枠側に軸着されて、前記障子の開閉方向に揺動し得るように保持され、前記ストッパ全体が第二付勢手段を介して前記係止フックを前記ロックピンに係止させる向きに付勢されるとともに、前記サブフックが第三付勢手段を介して前記係止フックとの間隔を狭める向きに付勢されている、との具体的構成を採用する。
【０００９】
また、本願が開示する発明の窓開閉ロック装置は、前述の基本的構成に加えて、前記受け具に形成される溝孔が、前記戸先框の材長方向に延びる前記ロックピン係合溝部と、前記ロックピン係合溝部の一端から曲線状に連続して前記障子の閉止側に開口するロックピン受渡口とを具備し、前記ロックピン受渡口の開口縁には、前記障子が閉じられたときに前記ストッパのサブフックに当接して前記ストッパを障子の閉止側に傾倒させるトリガーが突設されている、との具体的構成を採用する。
【００１０】
これらの構成によれば、障子を閉めるとき、および開けるときに、ロックピンをストッパと受け具との間で受け渡す動作が円滑になって、操作性が向上する。
【００１１】
さらに、前述の具体的構成を採用した態様は、前記障子が閉じられて前記ロックピンが前記溝孔の「ロック位置」にある状態から、前記操作部を操作し、前記ロックピンを前記第一付勢手段に抗して「アンロック位置」側へ移動させると、前記ロックピンは、前記第三付勢手段に抗して前記サブフックと前記係止フックとの間隔を押し拡げながら前記溝孔のロックピン受渡口を通過して、前記係止フックと前記サブフックとの間に挟み込まれ、前記第二付勢手段の付勢力によって前記ストッパの係止フックが前記ロックピンに係止されるとともに、前記受け具が前記ストッパを介して障子の開放側へと押し出される、ものとしても特徴づけられる。
【発明の効果】
【００１２】
本願が開示する窓開閉ロック装置によれば、障子を閉じると、窓枠側に取り付けられたロックピンが自動的に受け具に係合して障子が開かない状態にロックされるので、障子を閉じた後に施錠をし忘れる事態を防止することができる。
【図面の簡単な説明】
【００１３】
【図１】本願が開示する発明に係る窓開閉ロック装置を採用した縦すべり出し窓の概略的構成を示す斜視図である。
【図２】前記窓開閉ロック装置の全体的構成を図１のＡ視点から見て示す正面図である。
【図３】前記窓開閉ロック装置の全体的構成を図１のＢ−Ｂ断面によって示す横断面図である。
【図４】前記窓開閉ロック装置の要部を構成する受け具およびストッパをそれぞれ二方向から見た斜視図である。
【図５】障子が閉じられると自動的にロックされる動作を段階的に示す説明図である。
【図６】ロックされている障子が開かれるときの動作を段階的に示す説明図である。
【図７】ストッパの他の実施形態を示す二方向の斜視図である。
【図８】図７のストッパを採用した窓開閉ロック装置における、障子が閉じられるときの動作を段階的に示す説明図である。
【図９】図７のストッパを採用した窓開閉ロック装置における、障子が開かれるときの動作を段階的に示す説明図である。
【発明を実施するための形態】
【００１４】
以下、本願が開示する発明の実施の形態について、図面を参照しつつ説明する。
【００１５】
図１〜図６は、本願が開示する発明にかかる窓開閉ロック装置１の一実施形態を示している。この窓開閉ロック装置１が組み込まれる窓サッシは、例えば図１に示すような縦すべり出し窓である。この窓サッシは、窓枠１０と、その枠内に建て込まれた障子２０とが、フリクションステー３０１やオペレータ３０２等を含んで構成される開閉機構３０を介して連結されている。開閉機構３０は、例えば窓枠１０の下枠１０２に沿って設置されており、屋内側に突出するハンドル３０３を回すと、それに連係して障子２０の戸先側が窓枠１０の開口面外方向（屋内外方向）に移動するように構成される。なお、開閉機構３０については公知のものを適宜組み合わせるなどして構成することが可能であり、本願が開示する発明においては、その詳細な構成を特に限定しない。
【００１６】
この窓サッシに組み込まれる窓開閉ロック装置１は、障子２０の戸先框２０１の見込部に取り付けられる受け具２と、この戸先框２０１に重なり合う窓枠１０の縦枠１０１の見込部に組み付けられるロックピン３と、ロックピン３を縦枠１０１の材長方向（上下方向）に移動させる連動機構４と、この連動機構４を動かすための操作部５と、ロックピン３に係脱するストッパ６と、を含んで構成される。
【００１７】
受け具２には、ロックピン３が係脱する溝孔２１が形成されている。溝孔２１は、戸先框２０１の材長方向に沿って直線状に延びるロックピン係合溝部２２と、ロックピン係合溝部２２の一端（例示形態では下端）から曲線状に連続して障子２０の閉止側（例示形態では屋内側）に開口するロックピン受渡口２３とを具備している。さらに、ロックピン受渡口２３の下側（ロックピン係合溝部２２につながっていない側）の開口縁には、小突起状のトリガー２４が、屋内側に向かって突設されている。
【００１８】
受け具２の上下両端には、受け具２を戸先框２０１の見込部にビス止めするための取付片２５、２６がそれぞれ設けられている。これらの取付片２５、２６が障子２０の戸先框２０１に取り付けられると、溝孔２１が戸先框２０１の見込部から所定寸法だけ離れて保持される。例示形態では、この受け具２が障子２０の戸先框２０１の上下二箇所に取り付けられているが、障子２０の大きさや形態によっては、受け具２が三箇所以上に取り付けられていてもよい。
【００１９】
一方、戸先側の縦枠１０１には、受け具２に対応する位置に、連動機構４を介してロックピン３が組み付けられる。ロックピン３は、受け具２の溝孔２１の幅よりもやや小径の円柱体の頭部に、溝孔２１の幅よりもやや大径の鍔部３１（図３）を形成した部材である。ロックピン３は、連動機構４の主体となる薄くて細長い連動部材４１の上下二箇所に固定されている。
【００２０】
連動部材４１は、ガイド部材７を介して縦枠１０１の見込部に添設され、所定ストローク内で上下動し得るように保持されている。ガイド部材７は、障子２０を閉じたときに受け具２と重なり合う上下二箇所に取り付けられている。ガイド部材７は略溝形の断面形状を有し、その正面部が縦枠１０１にビス止めされている。そのビスとの干渉を避けるため、連動部材４１には細長い逃げ孔４２が形成されている。また、ガイド部材の正面部には、ロックピンを昇降可能に収容する長孔７１が形成されている。
【００２１】
連動部材４１の下端部は、屋内側に設けられた操作部５に連結されている。操作部５には収納式の操作レバー５１が回動可能に取り付けられている。この操作レバー５１にクランクアーム５２が結合されて、クランクアーム５２の先端に形成された略Ｌ字状のカム溝５３が、連動部材４１の下端に取り付けられた作動ピン４３に係合している。この操作レバー５１を回動させるとクランクアーム５２も一体的に回動して作動ピン４３が上下動し、それに連動してロックピン３も上下方向に移動する。
【００２２】
また、連動部材４１の上端部は、第一付勢部材としての引張コイルばね４４を介して縦枠１０１の見込部に留め付けられている。これにより、連動部材４１には常時、上向きに移動しようとする付勢力が作用する。
【００２３】
ガイド部材７には、ロックピン３を仮止めするためのストッパ６が取り付けられている。例示のストッパ６は、硬質の合成樹脂等からなる成形部材で、基端部６１が連動部材４１に干渉しないようにしてガイド部材７に軸着され、障子２０の開閉方向に揺動し得るように保持されている。ストッパ６の先端部には、障子２０の閉止側からロックピン３に係脱し得る係止フック６２が設けられている。
【００２４】
また、ストッパ６の中間部には、係止フック６２と相対するサブフック６３が設けられている。サブフック６３は、係止フック６２の基部近傍に軸着されて、係止フック６２との間隔をわずかに拡縮し得るように揺動する。サブフック６３の先端には、その厚みを略二分して、出寸法の小さい後退段部６４が設けられている。後退段部６４の上面は、係止フック６２との間隔を拡げるように欠き取られて、略平坦に形成されている。
【００２５】
係止フック６２およびサブフック６３は、それらの先端同士によって形成される開口を、障子２０に取り付けられた受け具２のロックピン受渡口２３と同じ高さに揃える位置に取り付けられている。
【００２６】
このストッパ６は、屋内側に取り付けられた第二付勢手段としての圧縮コイルばね６５を介して、ストッパ６全体が屋外側に揺動するように付勢されている。さらに、サブフック６３の下側に取り付けられた第三付勢手段としての小さい圧縮コイルばね６６を介して、サブフック６３が係止フック６２との間隔を狭める向きに揺動するように付勢されている。
【００２７】
操作部５の操作により連動部材４１が下降して、ロックピン３が受け具２のロックピン受渡口２３と同じ高さになると、屋外側に付勢されているストッパ６の係止フック６２がロックピン３に係止して、ロックピン３を仮止めする。このときのロックピン３の位置は、受け具２の溝孔２１にロックピン３が出入りし得る「アンロック位置」になる。
【００２８】
また、障子２０が閉じられた状態で連動部材４１が上昇すると。ロックピン３が受け具２のロックピン係合溝部２２まで入り込んで、障子２０の開閉ができなくなる。このときのロックピン３の位置が「ロック位置」となる。
【００２９】
図５および図６を参照して、障子２０を開閉するときの各部の動作を説明する。
【００３０】
障子２０が開かれた状態では、図５に示すように、ロックピン３が「アンロック位置」まで下降して、ストッパ６により仮止めされている。この状態で障子２０が閉じられると、障子２０に取り付けられた受け具２がストッパ６に当接する。より詳細には、受け具２のトリガー２４が、ストッパ６のサブフック６３に形成された後退段部６４の先端に当接し、これによってストッパ６全体が屋内側に押し倒される。障子２０がさらに閉じられて、受け具２が屋内側まで進入すると、ストッパ６の傾倒角度が大きくなって、ストッパ６の係止フック６２がロックピン３から外れる。ストッパ６から離脱したロックピン３は、連動部材４１を上向きに引っ張っている引張コイルばね４４の付勢力によって受け具２の溝孔２１内へと即時的に誘導され、「ロック位置」まで上昇する。このように、障子２０を閉じる動作によってロックピン３がストッパ６から受け具２へと受け渡されることにより、障子２０の開閉が規制される。
【００３１】
閉じられている障子２０を開くときは、操作部５の操作レバー５１を手で回して、引張コイルばね４４の付勢力に抗しながら連動部材４１を下降させる。図６に示すように、ロックピン３を「ロック位置」から「アンロック位置」まで下降させると、サブフック６３の先端も圧縮コイルばね６６の付勢力に抗して少し押し下げられ、係止フック６２とサブフック６３と対向間隔がわずかに拡がる。このとき、サブフック６３の後退段部６４が受け具２のトリガー２４の下方に逃げて両者の当接が外れるので、圧縮コイルばね６５によって付勢されているストッパ６が屋外側に揺動し、溝孔２１のロックピン受渡口２３にあるロックピン３に対して係止フック６２を係止させる。かくして、ロックピン３が受け具２からストッパ６へと受け渡される。ストッパ６が揺動する勢いで受け具２も屋外側へと押し出され、障子２０が開放される。障子２０が開かれた後、再度、障子２０が閉じられるまで、ロックピン３はストッパ６によって「アンロック位置」に仮止めされたままになる。
【００３２】
本願が開示する発明にかかる窓開閉ロック装置１は、このように構成されているので、窓サッシの開閉機構３０等を操作するなどして障子２０を閉じれば、窓枠１０側に組み付けられたロックピン３が障子２０に取り付けられた受け具２に対して即時に係合し、障子２０を施錠状態に保持する。したがって、障子２０を閉じた後に施錠操作をし忘れる、といったトラブルを防止することができる。また、ロックピン３が「アンロック位置」においてストッパ６と受け具２との間で受け渡される構成は、障子２０を開く場合も、ロック状態が解除されると同時に障子２０を開放側に押し出すように作用するので、これにより好ましい操作感が得られる。また、この窓開閉ロック装置１は、電動力やギヤ等を利用する複雑な動力伝達機構に依存しないので、故障や誤動作を生じにくく、停電の影響も受けず、長期間にわたり安定的に使用することができる。
【００３３】
図７は、ストッパ６の他の実施形態を示している。この形態にかかるストッパ６は、金属板を切削・折曲するなどして加工された部材で、係止フック６２、サブフック６３、第二付勢手段および第三付勢手段の形態が、前述の実施形態とは異なっている。
【００３４】
ストッパ６全体を屋外側に揺動させる第二付勢部材は、ストッパ６の基端部６１に装着されたキックばね８１である。サブフック６３は、側面視略Ｖ字形に形成されて、その屈曲部付近が係止フック６２の基部近傍に軸着されている。サブフック６３を係止フック６２側に揺動させる第三付勢部材には、小さい引張コイルばね８２が使用されている。サブフック６３の軸着箇所から上向きに延び出した腕部６７は、係止フック６２の側方に突出した突片６８に当接して、係止フック６２とサブフック６３との最小間隔を保持する。サブフック６３の先端には、その先端よりも後退した位置から側方に延び出す細い当接片６９が形成されており、この当接片６９が、前述の実施形態に係るストッパ６の後退段部６４に相当する。
【００３５】
このストッパ６を採用したときの障子２０の開閉操作を図８および図９に示すが、各部の動作や作用については、基本的に前述の実施形態と同様である。ただし、ストッパ６の形状的特徴を見やすくするために、障子２０の開閉方向を図５および図６とは反対向きに表している。
【００３６】
図８に示すように、障子２０が開かれてロックピン３が「アンロック位置」まで下降し、ストッパ６によって仮止めされている状態で、障子２０が閉じられると、障子２０に取り付けられた受け具２のトリガー２４が、ストッパ６のサブフック６３から側方に延び出す当接片６９に当接し、これによってストッパ６全体が屋内側に押し倒される。受け具２がさらに屋内側まで進入してストッパ６の傾倒角度が大きくなると、ストッパ６の係止フック６２がロックピン３から外れ、ストッパ６から離脱したロックピン３が、連動部材４１を上向きに引っ張っている引張コイルばね４４の付勢力によって受け具２の溝孔２１内へと即時的に受け渡される。
【００３７】
閉じられている障子２０を開くときは、操作部５を操作し、引張コイルばね４４の付勢力に抗しながら連動部材４１を下降させる。「ロック位置」から「アンロック位置」まで下降したロックピン３は、引張コイルばねの付勢力に抗してサブフック６３を少し押し下げる。これによって係止フック６２とサブフック６３と対向間隔がわずかに拡がるとともに、サブフック６３の当接片６９が受け具２のトリガー２４の下方に逃げて両者の当接が外れ、キックばね８１によって付勢されているストッパ６が屋外側に揺動して、ロックピン３を挟み込む。かくして、前述の実施形態と同様の操作性を得ることができる。
【００３８】
なお、本願が開示する発明の技術的範囲は、例示した実施の形態によって限定的に解釈されるべきものではなく、特許請求の範囲の記載に基づいて概念的に解釈されるべきものである。本願が開示する発明の実施に際しては、例示形態と実質的に同様の動作や作用効果が得られる範囲内で、装置各部を構成する部材の形状、材質、配置、取り合い等を適宜、改変することが可能である。
【００３９】
また、本願が開示する発明に係る窓開閉ロック装置は、例示したような縦すべり出し窓だけでなく、その他の開閉形態を採用する窓の戸先部分に幅広く採用することができる。その戸先部分は、縦向きでなく横向きの部位であってもよい。
【符号の説明】
【００４０】
１  窓開閉ロック装置
２  受け具
２１  溝孔
２２  ロックピン係合溝部
２３  ロックピン受渡口
２４  トリガー
３  ロックピン
３１  鍔部
４  連動機構
４１  連動部材
４２  逃げ孔
４３  作動ピン
４４  引張コイルばね
５  操作部
５１  操作レバー
５２  クランクアーム
５３  カム溝
６  ストッパ
６１  基端部
６２  係止フック
６３  サブフック
６４  後退段部
６５  圧縮コイルばね
６６  圧縮コイルばね
６７  腕部
６８  突片
６９  当接片
７  ガイド部材
７１  長孔
８１  キックばね
８２  引張コイルばね
１０  窓枠
１０１  縦枠
１０２  下枠
２０  障子
２０１  戸先框
３０  開閉機構
３０１  フリクションステー
３０２  オペレータ
３０３  ハンドル
【要約】
【課題】障子を閉めると自動的に施錠される窓開閉ロック装置を提供する。
【解決手段】窓開閉ロック装置１は、障子２０の戸先框２０１に取り付けられる受け具２と、戸先側の縦枠１０１に組み付けられるロックピン３と、ロックピン３を上下方向に移動させる連動機構４と、連動機構４を動かす操作部５と、ロックピン３に係脱するストッパ６と、を含んで構成される。ロックピン３は連動機構４に設けられた第一付勢手段（引張コイルばね４４）を介して「ロック位置」側へ移動する向きに付勢されている。ロックピン３を「アンロック位置」に仮止めしているストッパ６に障子２０側の受け具２が当接すると、ストッパ６がロックピン３から外れ、ロックピン３が受け具２の溝孔２１内へと即時的に誘導されて、障子２０の開閉が規制される。
【選択図】  図２【図１】
0006823142.tif 000002
【図２】
0006823142.tif 000003
【図３】
0006823142.tif 000004
【図４】
0006823142.tif 000005
【図５】
0006823142.tif 000006
【図６】
0006823142.tif 000007
【図７】
0006823142.tif 000008
【図８】
0006823142.tif 000009
【図９】
0006823142.tif 000010